(57)【要約】【課題】操作ペンのがたつきを防止できるとともに、操作ペンの傷付きを回避できる電子機器を得ることにある。【解決手段】実施形態によれば、電子機器は、筐体を有している。前記筐体の内部にペンガイドが設けられている。前記ペンガイドは、手書き入力用の操作ペンが挿入されるものであって、複数の凸部を有している。前記凸部は、前記ペンガイドの内面から突出するとともに、前記操作ペンの軸方向に離れた位置で前記操作ペンに摺動可能に接触する。【選択図】図９
2012133561.tif 000002
【特許請求の範囲】
【請求項１】
手書き入力用の操作ペンが挿入されるペン挿入口が設けられた筐体と、
前記筐体内に設けられ、前記ペン挿入口から挿入された前記操作ペンを保持するペンホルダと、
前記ペンホルダに支持され、前記操作ペンの軸方向に延びるとともに、前記操作ペンが軸方向に沿って引き抜き可能に挿入されるペンガイドと、
前記ペンガイドの内面に設けられ、前記操作ペンの軸方向に離れた位置で前記ペンガイドの内面から前記操作ペンの外周面に向けて突出されて、前記操作ペンに摺動可能に接触する第１および第２の保持部と、を具備した電子機器。
【請求項２】
請求項１の記載において、前記ペンガイドは、前記操作ペンの軸方向に延びるスリットが設けられた半円筒形の本体を有し、前記第１の保持部および前記第２の保持部は、前記本体の内面に設けられた電子機器。
【請求項３】
請求項２の記載において、前記本体は、前記スリットの幅が広がる方向に弾性変形が可能である電子機器。
【請求項４】
請求項３の記載において、前記操作ペンは、ペン先を有する棒状のペン本体を含み、
前記ペンガイドの前記第１の保持部は、前記ペン本体の軸方向に沿う中間部よりも前記ペン先の方向にずれた位置で前記ペン本体に摺動可能に接触し、前記ペンガイドの前記第２の係合部は、前記ペン本体の軸方向に沿う中間部よりも前記ペン先の反対側にずれた位置で前記ペン本体に摺動可能に接触した電子機器。
【請求項５】
請求項４の記載において、前記第２の保持部は、前記本体の内面から一体に突出された複数の凸部を含み、前記凸部は、前記ペン本体を径方向から挟み込んで保持した電子機器。
【請求項６】
請求項５の記載において、前記ペン本体は、前記ペン先とは反対側の端部に前記ペン本体の径方向に沿う外側に突出された突起部を有し、前記凸部のうちの一つが前記突起部の外周縁部に摺動可能に接触した電子機器。
【請求項７】
請求項４の記載において、前記第２の係合部は、前記ペンガイドの前記本体の内面に貼り付けられた防振材で構成された電子機器。
【請求項８】
請求項７の記載において、前記防振材が不織布で構成された電子機器。
【請求項９】
請求項８の記載において、前記防振材は、前記本体の周方向に連続した電子機器。
【請求項１０】
請求項７の記載において、前記防振材は、前記本体の周方向に間隔を存して分割された電子機器。
【請求項１１】
筐体と、
前記筐体内に設けられた収容部と、
前記収容部に支持され、挿入部材が軸方向に沿って引き抜き可能に挿入されるとともに、前記挿入部材の挿入に伴い前記挿入部材と一緒に移動される移動部と、
前記移動部に設けられ、前記挿入部材の軸方向に離れた位置で前記挿入部材に摺動可能に接触する複数の保持部と、を具備した電子機器。
【請求項１２】
請求項１１の記載において、前記移動部は、前記挿入部材が前記筐体内に格納される第１の位置と、前記挿入部材が前記筐体の外に突出される第２の位置との間で移動可能に前記収容部に支持された電子機器。
【請求項１３】
請求項１２の記載において、前記移動部は、前記挿入部材の軸方向に延びるスリットが設けられた半円筒形の本体を有し、前記本体は、前記スリットの幅が広がる方向に弾性変形が可能である電子機器。
【請求項１４】
筐体と、
前記筐体内に設けられ、手書き入力用の操作ペンが挿入されるペンガイドと、
前記ペンガイドの内面から突出し、前記操作ペンの軸方向に離れた位置で前記操作ペンに摺動可能に接触する複数の凸部と、を具備した電子機器。
【請求項１５】
請求項１４の記載において、前記ペンガイドは、前記操作ペンの軸方向に延びるスリットが設けられた半円筒形の本体を有し、前記本体は、前記スリットの幅が広がる方向に弾性変形が可能である電子機器。
【発明の詳細な説明】
【技術分野】
【０００１】
本発明の実施形態は、手書き入力用の操作ペンが挿入されるペンガイドを備えた電子機器に関する。
【背景技術】
【０００２】
例えば手書き文字認識機能を有する電子機器は、筐体の内部にスタイラスペンを取り出し可能に収容するペン収容部を備えている。ペン収容部はトンネル状の空洞であって、筐体の内部でスタイラスペンの軸方向に延びている。
【先行技術文献】
【特許文献】
【０００３】
【特許文献１】特開２００３−２２３２６９号公報
【発明の概要】
【発明が解決しようとする課題】
【０００４】
スタイラスペンがペン収容部に収容された状態では、スタイラスペンとペン収容部の内面との間にクリアランスが存在する。このため、スタイラスペンを内蔵した電子機器を運搬した時に、スタイラスペンがペン収納部内でがたつくことがある。この結果、スタイラスペンとペン収容部とが互いに干渉し合い、電子機器から不快な音が出る。
【０００５】
本発明の目的は、操作ペンのがたつきを防止できるとともに、操作ペンの傷付きを回避できる電子機器を得ることにある。
【課題を解決するための手段】
【０００６】
一つの実施形態によれば、電子機器は、筐体を有している。前記筐体の内部にペンガイドが設けられている。前記ペンガイドは、手書き入力用の操作ペンが挿入されるものであって、複数の凸部を有している。前記凸部は、前記ペンガイドの内面から突出するとともに、前記操作ペンの軸方向に離れた位置で前記操作ペンに摺動可能に接触する。
【図面の簡単な説明】
【０００７】
【図１】第１の実施形態に係るポータブルコンピュータの斜視図。
【図２】手書き入力用のスタイラスペンを第１の筐体のペン挿入口に挿入した状態を示す斜視図。
【図３】第１の筐体のトップカバーにダミーユニットを固定した状態を示す平面図。
【図４】第１の筐体のトップカバーにダミーユニットを固定した状態を示す斜視図。
【図５】本体モジュールの断面図。
【図６】ダミーユニットの斜視図。
【図７】ペンガイドの斜視図。
【図８】図７の反対側から見たペンガイドの斜視図。
【図９】ペンガイドにスタイラスペンを挿入した状態を示す平面図。
【図１０】図９のＦ１０部を拡大して示す平面図。
【図１１】ペンガイドがスタイラスペンと一緒に第１の位置にスライドされた状態を示す平面図。
【図１２】ペンガイドがスタイラスペンと一緒に第２の位置にスライドされた状態を示す平面図。
【図１３】第２の実施形態において、ペンガイドの第１および第２の凸部とスタイラスペンとの位置関係を示す平面図。
【図１４】第３の実施形態に用いるペンガイドの斜視図。
【図１５】ペンガイドに貼り付けられた防振材とスタイラスペンとの位置関係を示す断面図。
【図１６】第４の実施形態に用いるペンガイドの斜視図。
【図１７】ペンガイドに貼り付けられた防振材とスタイラスペンとの位置関係を示す断面図。
【図１８】第５の実施形態に用いるペンガイドにスタイラスペンを挿入した状態を示す平面図。
【発明を実施するための形態】
【０００８】
［第１の実施形態］
以下第１の実施形態について図１ないし図１２を参照して説明する。
【０００９】
図１は、電子機器の一例であるポータブルコンピュータ１を示している。ポータブルコンピュータ１は、本体モジュール２と表示モジュール３とを具備している。本体モジュール２は、第１の筐体４を備えている。第１の筐体４は、フラットな箱形であり、底壁５、上壁６および左右の側壁７（右側のみを図示）を有している。
【００１０】
底壁５は、ポータブルコンピュータ１を例えば机の上に置いた時に、机の上面と向かい合う。底壁５は、第１の筐体４の上方に向けて円弧状に湾曲された前端部５ａを有している。上壁６は、底壁５と向かい合っている。上壁６の前端縁は、底壁５の前端部５ａの上縁に突き合わされている。側壁７は、底壁５の側縁と上壁６の側縁との間に跨るように底壁５から起立している。
【００１１】
図２および図５に示すように、第１の筐体４は、ベース９およびトップカバー１０を備えている。ベース９は、底壁５および側壁７を含んでいる。トップカバー１０は、上壁６を含んでいる。第１の筐体４は、ベース９の上にトップカバー１０を被せることで組み立てられている。
【００１２】
図１、図２および図５に示すように、第１の筐体４の上壁６は、パームレスト１２とキーボード取り付け部１３とを備えている。パームレスト１２は、上壁６の前半部において第１の筐体４の幅方向に延びている。キーボード取り付け部１３は、パームレスト１２よりも凹んだ四角い窪みで構成され、パームレスト１２の背後に位置されている。
【００１３】
キーボード１４がキーボード取り付け部１３に設置されている。キーボード１４は、複数のキートップ１５を有している。キートップ１５の上面は、パームレスト１２の上面と略同一の面上に位置されているとともに、第１の筐体４の上壁６の上に露出されている。
【００１４】
図３ないし図５に示すように、パームレスト１２は、第１の筐体４の内側に露出された内面１２ａを有している。ハニカム状のリブ１６がパームレスト１２の内面１２ａに一体に形成されている。リブ１６は、パームレスト１２を第１の筐体４の内側から補強するための要素であって、パームレスト１２の内面１２ａから下向きに僅かに張り出している。リブ１６は、パームレスト１２の内面１２ａの上に複数の六角形状の領域１７を規定している。領域１７は、パームレスト１２の内面１２ａの全域に亘るとともに、互いに隣り合っている。
【００１５】
図１に示すように、表示モジュール３は、第２の筐体２０と、第２の筐体２０に収容された液晶表示装置２１とを備えている。第２の筐体２０は、第１の筐体４と略同じ大きさを有するフラットな箱形である。液晶表示装置２１は、情報を入力する透明なタッチパネル２２を有している。タッチパネル２２は、液晶表示パネルの上に積層されているとともに、第２の筐体２０の前面から第２の筐体２０の外に露出されている。
【００１６】
表示モジュール３は、第１の筐体４の後端部に支持されて閉じ位置と開き位置との間で回動可能となっている。閉じ位置では、表示モジュール３は、パームレスト１２やキーボード１４を覆うように第１の筐体４の上に横たわる。開き位置では、表示モジュール３は、パームレスト１２、キーボード１４およびタッチパネル２２を露出させるように第１の筐体４の後端部から起立する。
【００１７】
図１および図２に示すように、第１の筐体４は、例えばＳＤメモリカードを出し入れするためのカードスロット２４を備えている。カードスロット２４は、パームレスト１２の右端部と側壁７の上部とで規定された角部に開口されている。
【００１８】
図３ないし図５に示すように、リジッドなプリント回路板２５がパームレスト１２の内面１２ａの右端部にねじで固定されている。カードホルダ２６がプリント回路板２５の上に実装されている。カードホルダ２６は、カードスロット２４から挿入されたＳＤメモリカードを保持するとともに、ＳＤメモリカードが電気的に接続される端子を有している。カードホルダ２６は、プリント回路板２５とパームレスト１２の内面１２ａとの間の隙間に配置されて、カードスロット２４と隣り合っている。
【００１９】
フレキシブルプリント配線板２７がプリント回路板２５に接続されている。フレキシブルプリント配線板２７は、プリント回路板２５からパームレスト１２の内面１２ａに沿うように引き出されて、第１の筐体１４に収容されたマザーボードに電気的に接続されている。
【００２０】
ところで、第１の実施形態に係るポータブルコンピュータ１では、第１の筐体４の内部に光ディスク駆動装置を搭載したプレミアムなモデルと、光ディスク駆動装置を省いたベーシックなモデルとが用意されている。図１に示すポータブルコンピュータ１は、ベーシックなモデルである。ベーシックなモデルでは、第１の筐体４の内部の実装スペースに、光ディスク装置に代わって合成樹脂製のダミーユニット３０が取り外し可能に収容されている。
【００２１】
図３、図４および図６に示すように、ダミーユニット３０は、フレーム構造体３１とペンホルダ３２とを備えている。フレーム構造体３１は、光ディスク装置に対応する大きさを有している。フレーム構造体３１は、第１ないし第４の縦桟３３ａ，３３ｂ，３３ｃ，３３ｄと、第１ないし第３の横桟３４ａ，３４ｂ，３４ｃと、を備えている。
【００２２】
第１ないし第４の縦桟３３ａ，３３ｂ，３３ｃ，３３ｄは、第１の筐体４の奥行き方向に延びているとともに、第１の筐体４の幅方向に間隔を存して互いに平行に配置されている。第１ないし第３の横桟３４ａ，３４ｂ，３４ｃは、第１の筐体４の幅方向に延びているとともに、第１の筐体４の奥行き方向に間隔を存して互いに平行に配置されている。
【００２３】
そのため、第１ないし第４の縦桟３３ａ，３３ｂ，３３ｃ，３３ｄおよび第１ないし第３の横桟３４ａ，３４ｂ，３４ｃは、互いに直交するように格子状に組み合わされている。
【００２４】
第１の実施形態によると、第１の縦桟３３ａ、第４の縦桟３３ｄ、第１の横桟３４ａおよび第３の横桟３４ｃは、互いに協働して四角い外枠３５を構成している。外枠３５は、フレーム構造体３１の外形を形作っている。
【００２５】
フレーム構造体３１は、第２の横桟３４ｂと第１ないし第４の縦桟３３ａ，３３ｂ，３３ｃ，３３ｄとが交差する四つの交差部３６を有している。交差部３６は、第１の筐体４の幅方向に一列に並んでいる。
【００２６】
フレーム構造体３１の各交差部３６は、補強板３７で補強されている。補強板３７は、第２の横桟３４ｂの上縁と第１の縦桟３３ａの上縁、第２の横桟３４ｂの上縁と第２の縦桟３３ｂの上縁、第２の横桟３４ｂの上縁と第３の縦桟３３ｃの上縁および第２の横桟３４ｂの上縁と第４の縦桟３３ｄの上縁との間に跨っている。
【００２７】
さらに、ボス部３８が第１の横桟３４ａに一体に形成されている。ボス部３８は、パームレスト１２の内面１２ａと向かい合うように、第１の横桟３４ａの長手方向に沿う中間部から第２の横桟３４ｂに向けて突出されている。
【００２８】
図４ないし図６に示すように、フレーム構造体３１は、複数の第１の突起４０および複数の第２の突起４１を有している。第１の突起４０は、第１の横桟３４ａ、第３の横桟３４ｃおよび第１ないし第４の縦桟３３ａ〜３３ｄからパームレスト１２の内面１２ａに向けて突出されている。第１の突起４０は、第１および第３の横桟３４ａ，３４ｃの長手方向に間隔を存して並んでいるとともに、第１ないし第４の縦桟３３ａ〜３３ｄの長手方向に互いに離れている。
【００２９】
第２の突起４１は、第１の横桟３４ａおよび第３の横桟３４ｃから第１の筐体４の底壁５の内面に向けて突出されている。第２の突起４１は、第１の横桟３４ａおよび第３の横桟３４ｃの長手方向に間隔を存して並んでいる。
【００３０】
前記ダミーユニット３０の前記ペンホルダ３２は、合成樹脂製のスタイラスペン４３を取り出し可能に保持するための要素である。スタイラスペン４３は、タッチパネル２２を押圧することで入力操作を実行する操作ペンの一例であって、挿入部材と言い換えることができる。
【００３１】
図９および図１０に示すように、スタイラスペン４３は、ペン本体４４、ペン先４５および突起部４６を備えている。ペン本体４４は、真っ直ぐな棒状であり、第１の端部４４ａおよび第２の端部４４ｂを有している。
【００３２】
第１の端部４４ａは、その先端の方向に進むに従い径が減少するように先細り状に形成されている。ペン先４５は、ペン本体４４よりも径が小さいとともに、ペン本体４４の第１の端部４４ａの先端から同軸状に突出されている。そのため、ペン本体４４の第１の端部４４ａは、ペン先４５から遠ざかるに従い径が増加している。第１の端部４４ａの径は、ペン先４５から所定の距離Ｌ離れた箇所で略一定となっている。
【００３３】
さらに、第１の端部４４ａの外周面に係合溝４７が形成されている。係合溝４７は、ペン本体４４の周方向に連続するとともに、第１の端部４４ａのうち径が一定となった最初の部分に位置されている。言い換えると、係合溝４７は、ペン本体４４の軸方向に沿う中間部よりもペン先４５の方向にずれた位置に設けられている。
【００３４】
ペン本体４４の第２の端部４４ｂは、ペン先４５の反対側に位置されている。第２の端部４４ｂの径は、第１の端部４４ａの最大径と略同等である。
【００３５】
突起部４６は、ペン本体４４の第２の端部４４ｂに一体に形成されている。突起部４６は、ペン本体４４の軸方向に延びるように第２の端部４４ｂの外周面からフィン状に突き出ている。
【００３６】
図１０に示すように、突起部４６は、外周縁部４６ａを有している。外周縁部４６ａは、突起部４６の前端と後端との間で第２の端部４４ｂの外周面から遠ざかる方向に円弧状に湾曲されている。そのため、第２の端部４４ｂに対する突起部４６の高さＨは、突起部４６の前端と後端との間の中間部分で最大となっている。
【００３７】
さらに、複数の窪み４８が突起部４６の外周縁部４６ａの中間部分に形成されている。窪み４８は、オペレータが指先を引っ掛けるためのものであり、ペン本体４４の軸方向に間隔を存して一列に並んでいる。
【００３８】
図３ないし図６に示すように、前記ペンホルダ３２は、前記フレーム構造体３１と一体化されている。ペンホルダ３２は、収容部としてのホルダ本体５０、移動部としてのペンガイド５１およびプッシュプッシュ式のキャッチャー機構５２を備えている。
【００３９】
ホルダ本体５０は、フレーム構造体３１の第１の横桟３４ａに一体に形成されている。ホルダ本体５０は、第１の筐体４の幅方向に延びる細長い板状であり、フレーム構造体３１の周囲に張り出している。
【００４０】
ホルダ本体５０は、補強壁５３を有している。補強壁５３は、ホルダ本体５０の周縁から第１の筐体４の底壁５に向けて起立されているとともに、第１の横桟３４ａと協働してホルダ本体５０を囲んでいる。補強壁５３の上縁および下縁に複数の第３の突起５４が形成されている。第３の突起５４は、互いに間隔を存して並んでいる。
【００４１】
ホルダ本体５０は、延出部５５を有している。延出部５５は、フレーム構造体３１の第１の縦桟３３ａよりもフレーム構造体３１の周囲に張り出している。ボス部５６が延出部５５に一体に形成されている。ボス部５６は、パームレスト１２の内面１２ａと向かい合うように、延出部５５から張り出している。
【００４２】
さらに、図１１および図１２に示すような位置決め部５７がホルダ本体５０に一体に形成されている。位置決め部５７は、延出部５５の反対側に位置されているとともに、長孔状の係合孔５８を有している。
【００４３】
図３および図４に示すように、パームレスト１２の内面１２ａから突出された凸部５９が位置決め部５７の係合孔５８に嵌合されている。この嵌合により、パームレスト１２に対するダミーユニット３０の大まかな位置合わせがなされている。さらに、フレーム構造体３１のボス部３８およびペンポルダ３２のボス部５６は、夫々パームレスト１２の内面１２ａにねじ６０で固定されている。
【００４４】
このため、図５に示すように、ダミーユニット３０は、パームレスト１２の右端部の内面１２ａから吊り下げられた状態で第１の筐体４の内部の実装スペースに収まっている。ダミーユニット３０のフレーム構造体３１は、第１の筐体４の底壁５とパームレスト１２との間に介在されて、第１の筐体４を内側から補強している。
【００４５】
詳しく述べると、フレーム構造体３１の第１の突起４０は、その先端がリブ１６で囲まれた領域１７に対応した位置でパームレスト１２の内面１２ａに突き当たっているか、あるいは例えば１ｍｍ程度の僅かな隙間を存してパームレスト１２の内面１２ａと向かい合っている。同様に、フレーム構造体３１の第２の突起４１は、第１の筐体４の底壁５の内面に突き当たっているか、あるいは例えば１ｍｍ程度の僅かな隙間を存して底壁５の内面と向かい合っている。
【００４６】
このため、パームレスト１２の右端部を上方から押圧するような外力が第１の筐体４に加わった場合、フレーム構造体３１がパームレスト１２を下から支えて、パームレスト１２の変形を防止する。
【００４７】
さらに、第１の実施形態では、カードホルダ２６を有するプリント回路板２５は、フレーム構造体３１の第２の横桟３４ｂ、第１および第２の縦桟３３ａ，３３ｂとパームレスト１２の内面１２ａとの間の隙間に収まっている。プリント回路板２５に接続されたフレキシブルプリント配線板２７は、フレーム構造体３１とパームレスト１２の内面１２ａとの間の隙間を通して配線されている。
【００４８】
この際、図４および図５に示すように、フレーム構造体３１の第１の突起４０は、プリント回路板２５の周囲でパームレスト１２を下から支えている。したがって、パームレスト１２の右端部を上方から押圧しても、パームレスト１２が凹むように変形し難くなり、パームレスト１２とカードホルダ２６との干渉を回避できる。
【００４９】
ダミーユニット３０をパームレスト１２の内面１２ａに固定した状態では、ペンホルダ３２のホルダ本体５０がパームレスト１２の右端部の後部からキーボード取り付け部１３の下方に至る領域に位置されている。ホルダ本体５０は、第１の筐体４の右側の側壁７から第１の筐体４の幅方向に沿って延びている。
【００５０】
ホルダ本体５０の補強壁５３は、キーボード取り付け部１３と第１の筐体４の底壁５との間に介在されて、第１の筐体４を内側から補強している。
【００５１】
すなわち、補強壁５３の第３の突起５４は、その先端がキーボード取り付け部１３の内面および底壁５の内面に突き当たるか、あるいは例えば１ｍｍ程度の僅かな隙間を存してパームレスト１２の内面１２ａおよび底壁５の内面と向かい合っている。
【００５２】
このため、キーボード１４を上方から押圧するような外力が第１の筐体４に加わった場合、ペンホルダ３２の補強壁５３がキーボード取り付け部１３を下から支えて、第１の筐体４の変形を防止する。
【００５３】
図４および図６に示すように、ホルダ本体５０の延出部５５は、端壁６２を備えている。端壁６２は、第１の筐体４の右側の側壁７に設けた開口部６３に嵌め込まれている。言い換えると、端壁６２は、開口部６３から第１の筐体４の外に露出されて、第１の筐体４を形作る外観要素の一部となっている。
【００５４】
スタイラスペン４３を出し入れするペン挿入口６４が端壁６２に形成されている。ペン挿入口６４は、第１の筐体４の内部の実装スペースに開口されている。
【００５５】
図５および図６に示すように、ホルダ本体５０は、円弧状に湾曲された窪み部６５を有している。窪み部６５は、スタイラスペン４３のペン本体４４を受け止めるためのものであり、ホルダ本体５０の長手方向に一直線状に延びている。窪み部６５の一端は、延出部５５を経てペン挿入口６４に連続している。
【００５６】
複数の支持片６６がホルダ本体５０に一体に形成されている。支持片６６は、ホルダ本体５０から突出するとともに、その突出端に爪６６ａを有している。このような支持片６６は、窪み部６５を間に挟んで向かい合うとともに、ホルダ本体５０の長手方向に間隔を存して並んでいる。
【００５７】
前記ペンガイド５１は、例えば合成樹脂材料により形成されている。図７ないし図９に示すように、ペンガイド５１は、スタイラスペン４３の軸方向に延びる本体７０を備えている。本体７０は、半円筒形であって、スタイラスペン４３のペン本体４４が入り込む凹部７１と、凹部７１に連続するスリット７２とを備えている。スリット７２は、ペン本体４４の軸方向に延びるように本体７０の外周面に開口されている。このため、ペンガイド５１の本体７０は、スリット７２の幅が広がる方向に弾性変形が可能となっている。スリット７２の幅は、ペン本体４４の径方向と一致する。
【００５８】
さらに、ペンガイド５１の本体７０は、スリット７２を取り囲むスライドガイド面７３と、スタイラスペン４３のペン先４５が入り込む挿通孔７４と、挿通孔７４の反対側に向けて開口されたペン挿入部７５とを備えている。
【００５９】
ペン挿入部７５は、スタイラスペン４３の突起部４６が入り込む受け部７７を有している。受け部７７は、スタイラスペン４３の突起部４６の外周縁部４６ａに面する内面７７ａを有している。内面７７ａは、本体７０の長手方向に延びているとともに、凹部７１の内面のうちスライドガイド面７３に連続する部分に面している。
【００６０】
ペンガイド５１は、本体７０のスリット７２をホルダ本体５０の窪み部６５に向けた姿勢で支持片６６の間に嵌め込まれている。これにより、図４および図５に示すように、支持片６６の爪６６ａが窪み部６５の反対側からペンガイド５１の本体７０に摺動可能に引っ掛かっている。このため、ペンガイド５１は、支持片６６の爪６６ａとホルダ本体５０の下面との間で摺動可能に挟み込まれているとともに、ペンガイド５１のスライドガイド面７３がホルダ本体５０の下面と向かい合っている。
【００６１】
この結果、ペンガイド５１は、第１の筐体４の幅方向にスライドするように移動可能にホルダ本体５０に保持されて、ペンガイド５１の凹部７１がホルダ本体５０の窪み部６５と向かい合っている。凹部７１および窪み部６５は、互いに協働してトンネル状のペン収容部７８を規定している。ペン収容部７８は、ペン挿入口６４に連なっている。
【００６２】
図７および図８に示すように、ペンガイド５１は、係合片８０およびアーム部８１を備えている。係合片８０は、ペンガイド５１の長手方向に沿う中間部よりも挿通孔７４の方向にずれた位置でペンガイド５１の本体７０に一体に形成されている。係合片８０は、凹部７１内に突出された係合突起８２を有している。係合突起８２は、第１の係合部の一例である。係合片８０は、係合突起８２が凹部７１の外側に退く方向に弾性変形が可能である。
【００６３】
アーム部８１は、ペンガイド５１の長手方向に沿う中間部から分岐されて、ペンガイド５１の挿通孔７４の方向にペンガイド５１と平行に延びている。アーム部８１の先端は、アーム部８１よりも拡張された矢尻状の嵌合部８３となっている。
【００６４】
スタイラスペン４３は、第１の筐体４のペン挿入口６４からペンガイド５１のペン挿入部７５を通じてペン収容部７８に挿入される。スタイラスペン４３の挿入に伴い、ペン本体４４の係合溝４７がペンガイド５１の係合突起８２の位置に達すると、係合突起８２が係合溝４７に弾性的に引っ掛かる。
【００６５】
これにより、ペン本体４４の第１の端部４４ａがホルダ本体５０の窪み部６５の内面に押し付けられる。よって、ペン本体４４とペンガイド５１とが一体的に連結されて、ペンガイド５１がスタイラスペン４３と一緒に移動する。
【００６６】
具体的に述べると、図９は、ペンガイド５１の係合突起８２がペン本体４４の係合溝４７に引っ掛かった時のペンガイド５１とスタイラスペン４３との関係を示している。図９に示すように、スタイラスペン４３とペンガイド５１とが一体的に連結されると、ペン先４５がペンガイド５１の挿通孔７４に入り込むとともに、突起部４６を有するペン本体４４の第２の端部４４ｂがペンガイド５１のペン挿入部７５から飛び出ている。
【００６７】
第１の実施形態では、ペンガイド５１は、スタイラスペン４３と一緒に第１の位置と第２の位置との間で移動可能となっている。図１１は、ペンガイド５１が第１の位置に移動された状態を開示している。第１の位置では、ペンガイド５１のペン挿入部７５がペン挿入口６４から遠ざかるとともに、突起部４６を有するペン本体４４の第２の端部４４ｂがペン挿入部７５とペン挿入口６４との間に位置されている。
【００６８】
そのため、スタイラスペン４３は、第１の筐体４の内部に格納されているとともに、ペン本体４４の第２の端部４４ｂは、第１の筐体４の外に突出することなくペン挿入口６４の開口端に収まっている。
【００６９】
図１２は、ペンガイド５１が第２の位置に移動された状態を開示している。第２の位置では、ペンガイド５１のペン挿入部７５がホルダ本体５０の端壁６２の直前に位置されるとともに、突起部４６を有するペン本体４４の第２の端部４４ｂがペン挿入口６４から第１の筐体４の外に飛び出している。図２は、ペン本体４４の第２の端部４４ｂがペン挿入口６４から第１の筐体４の外に飛び出た状態を示している。
【００７０】
図９および図１０に示すように、スタイラスペン４３がペンガイド５１に連結された状態では、ペン本体４４の突起部４６の前半部がペンガイド５１の受け部７７に入り込んでいる。第１の凸部８５ａが受け部７７の内面７７ａに一体に形成されている。第２の凸部８５ｂが受け部７７と向かい合うペン挿入部７５の内面に一体に形成されている。第１および第２の凸部８５ａ，８５ｂは、第２の係合部の一例である。第１および第２の凸部８５ａ，８５ｂは、円弧状に湾曲された先端を有するとともに、ペン本体４４の軸方向に沿う中間部よりもペン先４５の反対側にずれた位置でペン本体４４の径方向に互いに向かい合っている。
【００７１】
受け部７７に位置された第１の凸部８５ａは、その先端が突起部４６の外周縁部４６ａに摺動可能に接している。第１の実施形態によると、第１の凸部８５ａの先端は、図１０に示すように突起部４６の前端に近い最初の窪み４８の直前で突起部４６の外周縁部４６ａに接している。突起部４６の最初の窪み４８に対応する位置では、突起部４６の高さＨが最も大きくなっている。そのため、第１の凸部８５ａは、突起部４６の高さＨが最大となった位置で突起部４６の外周縁部４６ａに接している。
【００７２】
一方、ペン挿入部７５の内面の第２の凸部８５ｂは、ペン本体４４の第２の端部４４ｂの外周面に摺動可能に接している。そのため、第１および第２の凸部８５ａ，８５ｂは、ペン本体４４がペン挿入部７５からペンガイド５１の外に飛び出る直前の位置でペン本体４４および突起部４６を挟み込んで保持している。
【００７３】
前記キャッチャー機構５２は、前記ペンガイド５１を第１の位置にロックしたり、ペンガイド５１のロックを解除するロック装置の一例である。キャッチャー機構５２は、ケース８７と、ケース８７に支持された一対の挾持爪８８ａ，８８ｂとを備えている。
【００７４】
ケース８７は、ペンガイド５１の移動方向に延びる細長い箱形であり、ペンガイド５１と隣り合うようにホルダ本体５０に固定されている。ペンガイド５１のアーム部８１は、ケース８７の長手方向に沿う一端からケース８７の内部に挿入されるようになっている。図１２に示すように、ペンガイド５１が第２の位置に移動された状態では、アーム部８１がケース８７の外に引き出されて、アーム部８１の先端の嵌合部８３がケース８７の一端と向かい合っている。
【００７５】
挾持爪８８ａ，８８ｂは、ペンガイド５１が第２の位置に移動された時に、スプリング８９で押されてケース８７の一端からケース８７の外に飛び出している。アーム部８１の先端の嵌合部８３は、挾持爪８８ａ，８８ｂの間に介在されている。
【００７６】
ペンガイド５１が第２の位置から第１の位置に向けて移動されると、ペンガイド５１の嵌合部８３によって挾持爪８８ａ，８８ｂがスプリング８９に抗してケース８７の内部に押し込まれる。
【００７７】
この押し込みに伴い、挾持爪８８ａ，８８ｂが互いに近づく方向に回動されて嵌合部８３を挟み込む。ペンガイド５１が第１の位置に達すると、挾持爪８８ａ，８８ｂがケース８７の内部に移動不能に保持される。よって、ペンガイド５１が第１の位置にロックされる。
【００７８】
このような構成のポータブルコンピュータ１において、スタイラスペン４３がペンホルダ３２のペン収容部７８から第１の筐体４の外に取り出された状態では、ペンガイド５１が図１２に示す第２の位置に移動されている。
【００７９】
スタイラスペン４３をペン先４５から軸方向に沿ってペン挿入口６４に挿入すると、スタイラスペン４３のペン本体４４がペンガイド５１のペン挿入部７５を通じてペン収容部７８に導かれる。
【００８０】
スタイラスペン４３の挿入に伴って、ペン先４５がペンガイド５１の挿通孔７４に入り込むと、ペンガイド５１の係合突起８２がペン本体４４の係合溝４７に弾性的に引っ掛かる。これにより、スタイラスペン４３の挿入動作に追従してペンガイド５１が第２の位置から第１の位置に向けて移動を開始する。
【００８１】
ペンガイド５１が第２の位置から第１の位置に向けて移動されると、ペンガイド５１のアーム部８１がキャッチャー機構５２のケース８７内に押し込まれる。キャッチャー機構５２の挾持爪８８ａ，８８ｂは、ペンガイド５１が第１の位置に達した時点で、アーム部８１の嵌合部８３を挟み込んだ状態でケース８７内に移動不能に保持される。
【００８２】
この結果、スタイラスペン４３が第１の筐体４の内部のペン収容部７８に格納される。スタイラスペン４３がペン収容部７８に格納された状態では、ペン本体４４の突起部４６に連続する端面がペン挿入口６４に露出されているに止まっている。したがって、ペン本体４４を指先で摘んでペン収容部７８から引き抜くことは不可能であり、スタイラスペン４３の盗難を防止できる。
【００８３】
一方、スタイラスペン４３をペン収容部７８から取り出すには、ペン挿入口６４から露出されているペン本体４４の端面を指先で押し込む。すると、ケース８７に対する挾持爪８８ａ，８８ｂの保持が解除されて、挾持爪８８ａ，８８ｂがスプリング８９によりケース８７の一端に向けて押圧される。この押圧により、アーム部８１がケース８７の一端からケース８７の外に押し出される。よって、ペンガイド５１がアーム部８１に追従して第１の位置から第２の位置に向けて移動される。
【００８４】
さらに、挾持爪８８ａ，８８ｂがケース８７の一端からケース８７の外に飛び出して互いに遠ざかる方向に回動する。これにより、挾持爪８８ａ，８８ｂが嵌合部８３から離脱し、ペンガイド５１とキャッチャー機構５２との連携が解除される。
【００８５】
ペンガイド５１が第２の位置に達すると、図２に示すように、突起部４６を有するペン本体４４の第２の端部４４ｂがペン挿入口６４から第１の筐体４の外に飛び出す。そのため、ペン本体４４の第２の端部４４ｂを指先で摘んで引っ張ることで、スタイラスペン４３をペン収容部７８から引き抜くことができる。
【００８６】
このような構成によれば、スタイラスペン４３がペン収容部７８に挿入されて、スタイラスペン４３の係合溝４７にペンホルダ５１の係合突起８２が引っ掛かった状態では、ペン本体４４の第１の端部４４ａの外周面がホルダ本体５０の窪み部６５の内面に押し付けられている。
【００８７】
それとともに、ペン本体４４の第２の端部４４ｂがペン挿入部７５からペンガイド５１の外に飛び出る直前の位置で、ペン本体４４の第２の端部４４ｂおよび突起部４６がペンガイド５１の第１の凸部８５ａと第２の凸部８５ｂとの間で挟み込まれている。
【００８８】
このため、スタイラスペン４３のペン本体４４は、軸方向に離れた位置でペンガイド５１に保持されている。したがって、ペン収容部７８の内部でのスタイラスペン４３のがたつきが抑えられ、例えばペン収容部７８にスタイラスペン４３が収容されたポータブルコンピュータ１を持ち運んだ場合でも、スタイラスペン４３の振動に伴う不快な音の発生を防止できる。
【００８９】
さらに、ペンガイド５１の係合突起８２は、ペン本体４４の軸方向に沿う中間部よりもペン先４５に近い位置でペン本体４４の係合溝４７に弾性的に引っ掛かっている。そのため、係合溝４７よりもスタイラスペン４３の挿入方向に沿う後方では、係合突起８２がペン本体４４の外周面に接することはない。
【００９０】
加えて、ペン本体４４の第１の端部４４ａにしても、係合溝４７からペン先４５の方向に進むに従い先細り状に形成されている。このため、スタイラスペン４３をペン収容部７８に挿入する過程で、係合突起８２がペン本体４４の第１の端部４４ａの外周面に接触し難くなる。
【００９１】
一方、ペンガイド５１の受け部７７に設けられた第１の凸部８５ａは、ペン本体４４から突出された突起部４６の外周縁部４６ａに接するので、第１の凸部８５ａがペン本体４４に接することはない。
【００９２】
しかも、第１の凸部８５ａは、突起部４６に設けられた最初の窪み４８の直前で突起部４６の外周縁部４６ａに接触し、第１の凸部８５ａが外周縁部４６ａに接する位置では、突起部４６の高さＨが突起部４６の前端よりも高くなっている。このため、突起部４６の前端が受け部７７に入り込んだ時点では、第１の凸部８５ａと突起部４６の外周縁部４６ａとの間に隙間が生じ、第１の凸部８５ａが外周縁部４６ａに接触し難くなる。
【００９３】
この結果、第１の凸部８５ａが最初の窪み４８の直前で突起部４６の外周縁部４６ａに接触するまでは、ペン本体４４が第１の凸部８５ａによって凹部７１の内面に向けて押圧されることはない。それ故、凹部７１の内面に位置された第２の凸部８５ｂがペン本体４４の第２の端部４４ｂの外周面に押し付けられることもない。
【００９４】
したがって、ペンガイド５１の本体７０に凹部７１内に突出する係合突起８２、第１の凸部８５ａおよび第２の凸部８５ｂを設けたにも拘らず、ペン本体４４の外周面に擦り傷がつき難くなる。
【００９５】
第１の実施形態によると、ペンガイド５１のペン挿入部７５に正規のスタイラスペン４３よりも太い他のスタイラスペンを挿入した場合、ペンガイド５１の凹部７１の内面がスタイラスペンの径方向外側に向けて押圧される。凹部７１の内面がスタイラスペンで押圧されると、半円筒形の本体７０がスリット７２の幅が広がる方向に撓むように弾性変形し、スタイラスペンの径の増大分を吸収する。
【００９６】
さらに、ペンガイド５１をホルダ本体５０に支持する複数の支持片６６は、本体７０の長手方向に間隔を存して並んでいる。この構成によれば、ペンガイド５１の長手方向に沿う側縁を全長に亘って保持する場合との比較において、ペンガイド５１の弾性変形が容易となる。よって、正規のスタイラスペン４３よりも太い他のスタイラスペンでもペンガイド５１で確実に保持することができる。
【００９７】
［第２の実施形態］
図１３は、第２の実施形態を開示している。
【００９８】
第２の実施形態は、ペンガイド５１の第１の凸部８５ａの位置が前記第１の実施形態と相違している。図１３に示すように、第１の凸部８５ａは、第２の凸部８５ｂよりもペンガイド５１の長手方向に沿う中間部の方向にずれている。
【００９９】
このため、第１の凸部８５ａは、第２の凸部８５ｂよりも突起部４６の前端に近い位置で突起部４６の外周縁部４６ａに接触し、第２の凸部４６ｂと協働してスタイラスペン４３の第２の端部４４ｂおよび突起部４６を挟み込んで保持するようになっている。
【０１００】
［第３の実施形態］
図１４および図１５は、第３の実施形態を開示している。
【０１０１】
第３の実施形態は、ペンガイド５１のうちスタイラスペン４３の第２の端部４４ｂを保持する部分の構成が前記第１の実施形態と相違している。これ以外のペンガイド５１の構成は第１の実施形態と同様である。そのため、第３の実施形態において第１の実施形態と同一の構成部分には同一の参照符号を付して、その説明を省略する。
【０１０２】
図１４に示すように、帯状の防振材１００がペンガイド５１のペン挿入部７５の内面に貼り付けられている。防振材１００は、第２の係合部の一例であって、例えばスタイラスペン４３よりも柔軟な不織布で構成されている。防振材１００は、半円筒形の本体７０の周方向に連続しているとともに、ペン挿入部７５の内面から凹部７１の内側に張り出している。
【０１０３】
第３の実施形態では、スタイラスペン４３がペン挿入部７５に挿入されて、スタイラスペン４３の係合溝４７にペンガイド５１の係合突起８２が引っ掛かった時に、スタイラスペン４３の第２の端部４４ｂが防振材１００の内側に入り込む。
【０１０４】
言い換えると、図１５に示すように、柔軟な防振材１００がスタイラスペン４３の第２の端部４４ｂとペンガイド５１の本体７０との間に介在されて、スタイラスペン４３とペンガイド５１との間の隙間を埋める。
【０１０５】
このため、ペンガイド５１に対するスタイラスペン４３のがたつきを抑えることができ、スタイラスペン４３の振動に伴う不快な音の発生を防止できる。
【０１０６】
さらに、防振材１００は、スタイラスペン４３よりも柔軟な不織布で構成されている。したがって、スタイラスペン４３をペン挿入部７５に挿入する時に、スタイラスペン４３と防振材１００とが互いに擦れ合っても、スタイラスペン４３の傷付きを防止することができる。
【０１０７】
［第４の実施形態］
図１６および図１７は、第４の実施形態を開示している。
【０１０８】
第４の実施形態では、不織布で構成された防振材１００が第１の部分１００ａ、第２の部分１００ｂおよび第３の部分１００ｃの三つに分割されている。第１ないし第３の部分１００ａ，１００ｂ，１００ｃは、個々にペン挿入部７５の内面に貼り付けられているとともに、本体７０の周方向に間隔を存して配列されている。このため、防振材１００の第１の部分１００ａと第２の部分１００ｂおよび第１の部分１００ａと第３の部分１００ｃとの間に夫々隙間１０１ａ，１０１ｂが形成されている。
【０１０９】
このような構成によると、防振材１００の第１の部分１００ａと第２の部分１００ｂおよび第１の部分１００ａと第３の部分１００ｃとの間に夫々隙間１０１ａ，１０１ｂが存在するので、隙間１０１ａ，１０１ｂの分だけスタイラスペン４３と防振材１００との接触面積が少なくなる。
【０１１０】
このため、スタイラスペン４３のがたつきを抑制する防振材１００を設けたにも拘らず、スタイラスペン４３に加わる摺動抵抗を少なく抑えることができる。よって、スタイラスペン４３をペン挿入部７５に挿入したり、スタイラスペン４３をペン挿入部７５から引く抜く作業を容易に行うことができる。
【０１１１】
［第５の実施形態］
図１８は、第５の実施形態を開示している。
【０１１２】
第５の実施形態は、前記第１の実施形態と前記第３の実施形態とを組み合わせたものである。第５の実施形態において、第１および第３の実施形態と同一の構成部分には、同一の参照符号を付して、その説明を省略する。
【０１１３】
図１８に示すように、ペンガイド５１の第１の凸部８５ａおよび第２の凸部８５ｂは、ペン本体４４の第２の端部４４ｂがペン挿入部７５からペンガイド５１の外に飛び出る直前の位置で、ペン本体４４の第２の端部４４ｂおよび突起部４６を挟み込んで保持している。
【０１１４】
さらに、防振材１００は、第１および第２の突起部８５ａ，８５ｂよりもペンガイド５１の軸方向に沿う中間部の方向にずれた位置で、スタイラスペン４３とペンガイド５１との間の隙間を埋めている。
【０１１５】
このような構成によれば、スタイラスペン４３の第２の端部４４ｂは、その軸方向に離間した二箇所でペンガイド５１に保持されている。このため、スタイラスペン４３のがたつきを確実に抑えることができ、スタイラスペン４３の振動に伴う不快な音の発生を防止できる。
【０１１６】
第１の実施形態において、手書き入力機能を有する液晶表示装置２１は、表示モジュール３の第２の筐体２０に収容することに限定されるものではない。例えば、表示モジュール３およびキーボード１４を省略して、第１の筐体４に液晶表示装置２１を収容するようにしてもよい。
【０１１７】
さらに、スタイラスペンの第１の端部を不織布のような防振材で保持し、スタイラスペンの第２の端部および突起部を第１の凸部と第２の凸部との間で保持するようにしてもよい。
【０１１８】
スタイラスペンのフィン状の突起部は、必須の構成ではない。例えば、スタイラスペンの第２の端部から突起部を省略し、スタイラスペンの第２の端部を第１の凸部と第２の凸部との間で直接挟み込むようにしてもよい。
【０１１９】
本発明のいくつかの実施形態を説明したが、これらの実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２０】
４…筐体（第１の筐体）、３２…ペンホルダ、４３…操作ペン（スタイラスペン、挿入部材）、５０…収容部（ホルダ本体）５１…ペンガイド（移動部）、８２…第１の係合部（係合突起）、８５ａ，８５ｂ，１００…第２の係合部(第１の凸部、第２の凸部、防振材)。
【図１】
2012133561.tif 000003
【図２】
2012133561.tif 000004
【図３】
2012133561.tif 000005
【図４】
2012133561.tif 000006
【図５】
2012133561.tif 000007
【図６】
2012133561.tif 000008
【図７】
2012133561.tif 000009
【図８】
2012133561.tif 000010
【図９】
2012133561.tif 000011
【図１０】
2012133561.tif 000012
【図１１】
2012133561.tif 000013
【図１２】
2012133561.tif 000014
【図１３】
2012133561.tif 000015
【図１４】
2012133561.tif 000016
【図１５】
2012133561.tif 000017
【図１６】
2012133561.tif 000018
【図１７】
2012133561.tif 000019
【図１８】
2012133561.tif 000020
【手続補正書】
【提出日】平成24年3月27日(2012.3.27)
【手続補正１】
【補正対象書類名】特許請求の範囲
【補正対象項目名】全文
【補正方法】変更
【補正の内容】
【特許請求の範囲】
【請求項１】
ペンが挿入されるペン挿入口が設けられた筐体と、
前記筐体内に設けられ、前記ペン挿入口から挿入された前記ペンを保持するペンホルダと、
前記ペンが軸方向に沿って引き抜き可能に挿入され、前記ペンが前記筐体内に格納される第１の位置と、前記ペンが前記ペン挿入口から前記筐体の外に突出される第２の位置との間で前記ペンと一緒に移動可能に前記ペンホルダに支持されたペンガイドと、
前記ペンガイドの内面に設けられ、前記ペンの軸方向に離れた位置で前記ペンガイドの内面から前記ペンの外周面に向けて突出されて、前記ペンに摺動可能に接触する第１の係合部および第２の係合部と、
前記ペンホルダに設けられ、前記ペンガイドが前記ペンと一緒に前記第１の位置に移動された時に、前記ペンガイドを前記第１の位置に解除可能に保持する保持部と、
を具備した電子機器。
【請求項２】
請求項１の記載において、前記ペンガイドは、前記ペンの軸方向に延びるスリットが設けられた半円筒形の本体を有し、前記第１の係合部および前記第２の係合部が前記本体の内面に設けられた電子機器。
【請求項３】
請求項２の記載において、前記本体は、前記スリットの幅が広がる方向に弾性変形が可能である電子機器。
【請求項４】
請求項３の記載において、前記ペンは、ペン先を有するペン本体を含み、前記ペンガイドの前記第１の係合部は、前記ペン本体の軸方向に沿う中間部よりも前記ペン先の方向にずれた位置で前記ペン本体に摺動可能に接触し、前記ペンガイドの第２の係合部は、前記ペン本体の軸方向に沿う中間部よりも前記ペン先の反対側にずれた位置で前記ペン本体に摺動可能に接触した電子機器。
【請求項５】
請求項４の記載において、前記第２の係合部は、前記本体の内面から一体に突出された複数の凸部を含み、前記凸部は、前記ペン本体を径方向から挟み込んで保持した電子機器。
【請求項６】
請求項５の記載において、前記ペン本体は、前記ペン先とは反対側の端部に前記ペン本体の径方向に沿う外側に突出された突起部を有し、前記凸部のうちの一つが前記突起部の外周縁部に摺動可能に接触した電子機器。
【請求項７】
請求項４の記載において、前記第２の係合部は、前記ペンガイドの前記本体の内面に貼り付けられた防振材で構成された電子機器。
【請求項８】
請求項７の記載において、前記防振材が不織布で構成された電子機器。
【請求項９】
請求項８の記載において、前記防振材が前記本体の周方向に連続した電子機器。
【請求項１０】
請求項７の記載において、前記防振材が前記本体の周方向に間隔を存して分割された電子機器。
【請求項１１】
筐体と、
ペンが挿入され、前記ペンが前記筐体内に格納される第１の位置と、前記ペンが前記筐体の外に突出される第２の位置との間で前記ペンと一緒に移動するように前記筐体内に収容されたペンガイドと、
前記ペンガイドの内面から突出され、前記ペンの軸方向に離れた位置で前記ペンに摺動可能に接触する複数の凸部と、
前記ペンガイドが前記ペンと一緒に前記第１の位置に移動された時に、前記ペンガイドを前記第１の位置に解除可能に保持する保持部と、
を具備した電子機器。
【手続補正２】
【補正対象書類名】明細書
【補正対象項目名】０００１
【補正方法】変更
【補正の内容】
【０００１】
本発明は、手書き入力用のペンが挿入されるペンガイドを備えた電子機器に関する。
【手続補正３】
【補正対象書類名】明細書
【補正対象項目名】０００５
【補正方法】変更
【補正の内容】
【０００５】
本発明の目的は、ペンのがたつきを防止できるとともに、ペンの傷付きを回避できる電子機器を得ることにある。
【手続補正４】
【補正対象書類名】明細書
【補正対象項目名】０００６
【補正方法】変更
【補正の内容】
【０００６】
一つの実施形態によれば、電子機器は、ペンが挿入されるペン挿入口が設けられた筐体と、  前記筐体内に設けられ、前記ペン挿入口から挿入された前記ペンを保持するペンホルダと、前記ペンが軸方向に沿って引き抜き可能に挿入され、前記ペンが前記筐体内に格納される第１の位置と、前記ペンが前記ペン挿入口から前記筐体の外に突出される第２の位置との間で前記ペンと一緒に移動可能に前記ペンホルダに支持されたペンガイドと、を備えている。
前記ペンガイドの内面に第１の係合部および第２の係合部が設けられている。第１の係合部および第２の係合部は、前記ペンの軸方向に離れた位置で前記ペンガイドの内面から前記ペンの外周面に向けて突出されて、前記ペンに摺動可能に接触する。前記ペンホルダに保持部が設けられている。保持部は、前記ペンガイドが前記ペンと一緒に前記第１の位置に移動された時に、前記ペンガイドを前記第１の位置に解除可能に保持するように構成されている。
【手続補正５】
【補正対象書類名】明細書
【補正対象項目名】０１１９
【補正方法】変更
【補正の内容】
【０１１９】
本発明のいくつかの実施形態を説明したが、これらの実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願出願の当初の特許請求の範囲に記載された発明を付記する。
[１] 手書き入力用の操作ペンが挿入されるペン挿入口が設けられた筐体と、
前記筐体内に設けられ、前記ペン挿入口から挿入された前記操作ペンを保持するペンホルダと、
前記ペンホルダに支持され、前記操作ペンの軸方向に延びるとともに、前記操作ペンが軸方向に沿って引き抜き可能に挿入されるペンガイドと、
前記ペンガイドの内面に設けられ、前記操作ペンの軸方向に離れた位置で前記ペンガイドの内面から前記操作ペンの外周面に向けて突出されて、前記操作ペンに摺動可能に接触する第１および第２の保持部と、を具備した電子機器。
[２] [１]の記載において、前記ペンガイドは、前記操作ペンの軸方向に延びるスリットが設けられた半円筒形の本体を有し、前記第１の保持部および前記第２の保持部は、前記本体に内面に設けられた電子機器。
[３] [２]の記載において、前記本体は、前記スリットの幅が広がる方向に弾性変形が可能である電子機器。
[４] [３]の記載において、前記操作ペンは、ペン先を有する棒状のペン本体を含み、
前記ペンガイドの前記第１の保持部は、前記ペン本体の軸方向に沿う中間部よりも前記ペン先の方向にずれた位置で前記ペン本体に摺動可能に接触し、前記ペンガイドの前記第２の係合部は、前記ペン本体の軸方向に沿う中間部よりも前記ペン先の反対側にずれた位置で前記ペン本体に摺動可能に接触した電子機器。
[５] [４]の記載において、前記第２の保持部は、前記本体の内面から一体に突出された複数の凸部を含み、前記凸部は、前記ペン本体を径方向から挟み込んで保持した電子機器。
[６] [５]の記載において、前記ペン本体は、前記ペン先とは反対側の端部に前記ペン本体の径方向に沿う外側に突出された突起部を有し、前記凸部のうちの一つが前記突起部の外周縁部に摺動可能に接触した電子機器。
[７] [４]の記載において、前記第２の係合部は、前記ペンガイドの前記本体の内面に貼り付けられた防振材で構成された電子機器。
[８] [７]の記載において、前記防振材が不織布で構成された電子機器。
[９] [８]の記載において、前記防振材は、前記本体の周方向に連続した電子機器。
[１０] [７]の記載において、前記防振材は、前記本体の周方向に間隔を存して分割された電子機器。
[１１] 筐体と、
前記筐体内に設けられた収容部と、
前記収容部に支持され、挿入部材が軸方向に沿って引き抜き可能に挿入されるとともに、前記挿入部材の挿入に伴い前記挿入部材と一緒に移動される移動部と、
前記移動部に設けられ、前記挿入部材の軸方向に離れた位置で前記挿入部材に摺動可能に接触する複数の保持部と、を具備した電子機器。
[１２] [１１]の記載において、前記移動部は、前記挿入部材が前記筐体内に格納される第１の位置と、前記挿入部材が前記筐体の外に突出される第２の位置との間で移動可能に前記収容部に支持された電子機器。
[１３] [１２]の記載において、前記移動部は、前記挿入部材の軸方向に延びるスリットが設けられた半円筒形の本体を有し、前記本体は、前記スリットの幅が広がる方向に弾性変形が可能である電子機器。
[１４] 筐体と、
前記筐体内に設けられ、手書き入力用の操作ペンが挿入されるペンガイドと、
前記ペンガイドの内面から突出し、前記操作ペンの軸方向に離れた位置で前記操作ペンに摺動可能に接触する複数の凸部と、を具備した電子機器。
[１５] [１４]の記載において、前記ペンガイドは、前記操作ペンの軸方向に延びるスリットが設けられた半円筒形の本体を有し、前記本体は、前記スリットの幅が広がる方向に弾性変形が可能である電子機器。
【手続補正６】
【補正対象書類名】明細書
【補正対象項目名】０１２０
【補正方法】変更
【補正の内容】
【０１２０】
４…筐体（第１の筐体）、３２…ペンホルダ、４３…ペン（スタイラスペン）、５１…ペンガイド、５２…保持部（キャッチャー機構）、６４…ペン挿入口、８２…第１の係合部（係合突起）、８５ａ，８５ｂ，１００…第２の係合部（第１の凸部、第２の凸部、防振材）。